(57)【要約】【課題】質問器を識別し応答態様を変えることでセキュリティーの向上を図る。【解決手段】無線タグ管理システム１は、無線タグＴの無線タグ回路素子Ｔoに対する質問器であるリーダ７を有している。リーダ７は、制御部１１と、アンテナユニット１２とを有している。制御部１１は、タグＩＤ読み取りコマンド信号とリーダ７に固有のリーダＩＤを含む識別コマンド信号とを生成し、これらのコマンド信号をアンテナユニット１２を介し異なるタイミングで送信する。無線タグ回路素子Ｔoは、アンテナ１５１と、このアンテナ１５１に接続されたＩＣ回路部１５０とを有している。ＩＣ回路部１５０は、リーダ７からのタグＩＤ読み取りコマンド信号及び識別コマンド信号が受信されたかどうかを判定し、リーダＩＤに応じてタグＩＤ読み取りコマンド信号に対する応答の態様を変化させる。【選択図】図６
2008287534.tif 000002
【特許請求の範囲】
【請求項１】
情報を記憶するＩＣ回路部と情報を送受信するタグ側アンテナとを備えた無線タグ回路素子を有し、
前記ＩＣ回路部は、
質問器からの問合せコマンド信号が前記タグ側アンテナで受信された第１タイミングの前後いずれかの第２タイミングに、前記質問器に固有の個体識別情報を含む識別コマンド信号が前記タグ側アンテナで受信されたかどうかを判定する判定手段を備えることを特徴とする無線タグ。
【請求項２】
請求項１記載の無線タグにおいて、
前記ＩＣ回路部は、
前記識別コマンド信号に含まれる前記個体識別情報に応じて、前記問合せコマンド信号に対する応答の態様を変化させる応答制御手段を備えることを特徴とする無線タグ。
【請求項３】
請求項２記載の無線タグにおいて、
前記応答制御手段は、
前記個体識別情報に応じて、前記質問器への応答を行うか行わないかを切り替える
ことを特徴とする無線タグ。
【請求項４】
請求項２記載の無線タグにおいて、
前記応答制御手段は、
前記個体識別情報に応じて、前記質問器への応答信号に含ませる情報の内容を切り替える
ことを特徴とする無線タグ。
【請求項５】
請求項２記載の無線タグにおいて、
前記応答制御手段は、
前記個体識別情報に応じて、前記ＩＣ回路部に記憶した情報の書き換えの可否を切り替える
ことを特徴とする無線タグ。
【請求項６】
請求項２記載の無線タグにおいて、
前記ＩＣ回路部は、
前記無線タグ回路素子に関わる第１タグ識別情報と、この第１タグ識別情報とは異なる第２タグ識別情報とを備えており、
前記応答制御手段は、
前記個体識別情報に応じて、前記質問器への応答信号に前記第１タグ識別情報を含ませるか、第２タグ識別情報を含ませるかを切り替える
ことを特徴とする無線タグ。
【請求項７】
情報を記憶するＩＣ回路部と情報を送受信するタグ側アンテナとを備えた無線タグ回路素子との間で無線通信により情報の送受信を行う質問器側アンテナを有する質問器であって、
前記無線タグ回路素子の前記ＩＣ回路部より情報を取得するための問合せコマンド信号を生成する問合せコマンド信号生成手段と、
前記質問器に固有の個体識別情報を含む識別コマンド信号を生成する識別コマンド信号生成手段と、
第１タイミングにおいて前記質問器側アンテナを介し前記問合せコマンド信号を前記無線タグ回路素子へ送信し、前記第１タイミングの前後いずれかの第２タイミングにおいて前記質問器側アンテナを介し前記識別コマンド信号を前記無線タグ回路素子へ送信する送信制御手段と
を有することを特徴とする質問器。
【請求項８】
管理区域への出入口近傍に設けられた複数の質問器と、
情報を記憶するＩＣ回路部と情報を送受信するタグ側アンテナとを有する無線タグ回路素子を備え、前記複数の質問器の検出対象である複数の無線タグとを有する管理システムであって、
前記質問器は、
無線タグ回路素子との間で無線通信により情報の送受信を行う質問器側アンテナと、
前記無線タグ回路素子の前記ＩＣ回路部より情報を取得するための問合せコマンド信号を生成する問合せコマンド信号生成手段と、
前記質問器に固有の個体識別情報を含む識別コマンド信号を生成する識別コマンド信号生成手段と、
第１タイミングにおいて前記質問器側アンテナを介し前記問合せコマンド信号を前記無線タグ回路素子へ送信し、前記第１タイミングの前後いずれかの第２タイミングにおいて前記質問器側アンテナを介し前記識別コマンド信号を前記無線タグ回路素子へ送信する送信制御手段とを有し、
前記無線タグの前記ＩＣ回路部は、
前記第１タイミングにおいて前記質問器からの前記問合せコマンド信号が前記タグ側アンテナで受信され、前記第２タイミングにおいて前記質問器からの前記識別コマンド信号が前記タグ側アンテナで受信されたかどうかを判定する判定手段を備える
ことを特徴とする管理システム。
【発明の詳細な説明】
【技術分野】
【０００１】
本発明は、外部と情報の無線通信が可能な無線タグ回路素子を備えた無線タグ、この無線タグ回路素子と信号送受を行う質問器、それら無線タグと質問器とを備えた管理システムに関するものである。
【背景技術】
【０００２】
小型の無線タグと、質問器としてのリーダ（読み取り装置）／ライタ（書き込み装置）との間で非接触で情報の読み取り／書き込みを行うＲＦＩＤ（Radio  Frequency  Identification）システムが知られている。無線タグに備えられた無線タグ回路素子は、所定の無線タグ情報を記憶するＩＣ回路部と情報の送受信を行うアンテナとを備えている。質問器側よりＩＣ回路部の記憶情報に対してアクセス（情報の読み取り／書き込み）が可能であり、商品管理や検査工程等の様々な分野において既に実用が進んでいる。
【０００３】
このように種々の分野において活用されつつある無線タグを用いた無線通信システムの１つとして、複数の無線タグ回路素子に対し無線通信により情報の読み取りを行う質問器を有する無線タグ情報読み取りシステムがある（例えば、特許文献１参照）。この無線タグ情報読み取りシステムにおいては、質問器が複数の無線タグ回路素子に対して問合せ信号を送信すると、通信範囲内に存在する各無線タグ回路素子から質問器に対し応答信号が送信され、それら無線タグ回路素子の情報の読み取りが行われる。
【０００４】
【特許文献１】特開平１１−１４９５３０号公報
【発明の開示】
【発明が解決しようとする課題】
【０００５】
例えば、上述した従来技術を物品や人物の移動管理・出入管理等に用いる場合が考えられる。この場合、物品に貼られたり人物が持ち歩く無線タグの無線タグ回路素子に対し問い合わせ信号を送信する。そして、それに対する応答信号によって無線タグ回路素子の情報読み取りを行うことで、対応する物品や人物が出て行ったこと、入ってきたこと、移動したこと等の管理を行うことができる。
【０００６】
ここで、複数個の領域やある程度広い領域において上記の物品・人物の移動管理・出入管理等を行いたい場合には、対象となる多数の無線タグ回路素子に対して複数の質問器から問い合わせ信号を送信しそれぞれにて情報読み取りを実行することとなる。このとき、セキュリティーの観点から、例えば各無線タグ回路素子について、特定の質問器に対してのみ応答させる等質問器に応じて応答態様を変えたい場合がある。上記従来技術においては、そのような質問器を識別し応答態様を変えることでセキュリティーの向上を図ることについては、特に配慮されていなかった。
【０００７】
本発明の目的は、質問器を識別し応答態様を変えることでセキュリティーの向上を図ることができる無線タグ、質問器、及び管理システムを提供することにある。
【課題を解決するための手段】
【０００８】
上記目的を達成するために、第１の発明は、情報を記憶するＩＣ回路部と情報を送受信するタグ側アンテナとを備えた無線タグ回路素子を有し、前記ＩＣ回路部は、質問器からの問合せコマンド信号が前記タグ側アンテナで受信された第１タイミングの前後いずれかの第２タイミングに、前記質問器に固有の個体識別情報を含む識別コマンド信号が前記タグ側アンテナで受信されたかどうかを判定する判定手段を備えることを特徴とする。
【０００９】
本願第１発明の無線タグにおいては、無線タグ回路素子のＩＣ回路部に判定手段が設けられている。そして、この判定手段が、質問器より、その質問器に固有の個体識別情報を含む識別コマンド信号が受信されたかどうかを判定する。これにより、質問器からの問合せコマンド信号受信の前後に、無線タグ側でその質問器を個体別に特定することができる。したがって、その特定結果に応じ、各質問器ごとに、問合せコマンド信号に対する応答の態様を変化させることが可能となる。この結果、特定の質問器に対しては応答を行わない、若しくは、応答信号の内容を限定したものとする等が可能となるので、セキュリティーを向上することができる。
【００１０】
第２発明は、上記第１発明において、前記ＩＣ回路部は、前記識別コマンド信号に含まれる前記個体識別情報に応じて、前記問合せコマンド信号に対する応答の態様を変化させる応答制御手段を備えることを特徴とする。
【００１１】
個体識別情報に応じて、問合せコマンド信号に対する応答の態様を変化させることにより、特定の質問器に対しては応答を行わない、若しくは、応答信号の内容を限定したものとする等が可能となるので、セキュリティーを向上することができる。
【００１２】
第３発明は、上記第２発明において、前記応答制御手段は、前記個体識別情報に応じて、前記質問器への応答を行うか行わないかを切り替えることを特徴とする。
【００１３】
これにより、特定の質問器に対しては応答を行わないようにして、セキュリティーを向上することができる。
【００１４】
第４発明は、上記第２発明において、前記応答制御手段は、前記個体識別情報に応じて、前記質問器への応答信号に含ませる情報の内容を切り替えることを特徴とする。
【００１５】
これにより、特定の質問器に対しては応答信号に含ませる情報を少なくする、重要度の低いものとする、タグ識別情報のみにする等が可能となり、セキュリティーを向上することができる。
【００１６】
第５発明は、上記第２発明において、前記応答制御手段は、前記個体識別情報に応じて、前記ＩＣ回路部に記憶した情報の書き換えの可否を切り替えることを特徴とする。
【００１７】
これにより、特定の質問器に対しては当該無線タグの記憶情報の書き換えを禁止することができ、セキュリティーを向上することができる。
【００１８】
第６発明は、上記第２発明において、前記ＩＣ回路部は、前記無線タグ回路素子に関わる第１タグ識別情報と、この第１タグ識別情報とは異なる第２タグ識別情報とを備えており、前記応答制御手段は、前記個体識別情報に応じて、前記質問器への応答信号に前記第１タグ識別情報を含ませるか、第２タグ識別情報を含ませるかを切り替えることを特徴とする。
【００１９】
これにより、ある質問器に対してはメインの識別情報を含む応答信号を返信する一方、別の質問器に対してはサブの識別情報を含む応答信号を返信する等が可能となり、メインとサブの識別情報を使い分けることで、セキュリティーを向上することができる。
【００２０】
上記目的を達成するために、第７の発明は、情報を記憶するＩＣ回路部と情報を送受信するタグ側アンテナとを備えた無線タグ回路素子との間で無線通信により情報の送受信を行う質問器側アンテナを有する質問器であって、前記無線タグ回路素子の前記ＩＣ回路部より情報を取得するための問合せコマンド信号を生成する問合せコマンド信号生成手段と、前記質問器に固有の個体識別情報を含む識別コマンド信号を生成する識別コマンド信号生成手段と、第１タイミングにおいて前記質問器側アンテナを介し前記問合せコマンド信号を前記無線タグ回路素子へ送信し、前記第１タイミングの前後いずれかの第２タイミングにおいて前記質問器側アンテナを介し前記識別コマンド信号を前記無線タグ回路素子へ送信する送信制御手段とを有することを特徴とする。
【００２１】
本願第７発明の質問器においては、識別コマンド信号生成手段で質問器の個体識別情報を含む識別コマンド信号を生成し、送信制御手段でその識別コマンド信号を第２タイミングにおいて無線タグに送信する。これにより、無線タグは、上記識別コマンド信号を受信して質問器を個体別に特定し、各質問器ごとに問合せコマンド信号に対する応答の態様を変化させることが可能となる。この結果、特定の質問器に対しては応答を行わない、若しくは、応答信号の内容を限定したものとする等が可能となるので、セキュリティーを向上することができる。
【００２２】
上記目的を達成するために、第８の発明は、管理区域への出入口近傍に設けられた複数の質問器と、情報を記憶するＩＣ回路部と情報を送受信するタグ側アンテナとを有する無線タグ回路素子を備え、前記複数の質問器の検出対象である複数の無線タグとを有する管理システムであって、前記質問器は、無線タグ回路素子との間で無線通信により情報の送受信を行う質問器側アンテナと、前記無線タグ回路素子の前記ＩＣ回路部より情報を取得するための問合せコマンド信号を生成する問合せコマンド信号生成手段と、前記質問器に固有の個体識別情報を含む識別コマンド信号を生成する識別コマンド信号生成手段と、第１タイミングにおいて前記質問器側アンテナを介し前記問合せコマンド信号を前記無線タグ回路素子へ送信し、前記第１タイミングの前後いずれかの第２タイミングにおいて前記質問器側アンテナを介し前記識別コマンド信号を前記無線タグ回路素子へ送信する送信制御手段とを有し、前記無線タグの前記ＩＣ回路部は、前記第１タイミングにおいて前記質問器からの前記問合せコマンド信号が前記タグ側アンテナで受信され、前記第２タイミングにおいて前記質問器からの前記識別コマンド信号が前記タグ側アンテナで受信されたかどうかを判定する判定手段を備えることを特徴とする。
【００２３】
本願第８発明の管理システムにおいては、複数の質問器それぞれに設けた識別コマンド信号生成手段で質問器の個体識別情報を含む識別コマンド信号を生成し、送信制御手段でその識別コマンド信号を無線タグに送信する。このとき、無線タグの無線タグ回路素子のＩＣ回路部には、上記識別コマンド信号が質問器より受信されたかどうかを判定する判定手段が設けられている。これにより、質問器からの問合せコマンド信号受信の前後に、無線タグ側でその質問器を個体別に特定することができる。したがって、管理区域の出入口近傍に設けた複数の質問器それぞれで問合せコマンド信号を送信して出入り管理を行うとき、出入口を通過する各無線タグは、各質問器ごとに問合せコマンド信号に対する応答の態様を変化させることが可能となる。すなわち、自己に対応した特定の質問器に対してのみ応答を行い、その他の質問器については応答を行わない、若しくは、応答信号の内容を限定したものとする等が可能となる。このようにすることで、各無線タグに対応した特定の質問器に対してのみ出入口通過の記録が残され、それ以外には出入口通過の記録が残らないようにすることができるので、セキュリティーを向上することができる。
【発明の効果】
【００２４】
本発明によれば、質問器を識別し応答態様を変えることでセキュリティーの向上を図ることができる。
【発明を実施するための最良の形態】
【００２５】
以下、本発明の一実施の形態を図面を参照しつつ説明する。
【００２６】
図１は、本実施形態の無線タグ管理システム１（管理システム）の全体構成を概略的に示す図である。この例では、本発明を、複数階のフロアを有する雑居ビル（管理区域）２に適用した場合を概念的に示している。
【００２７】
雑居ビル２は、複数の会社（ここでは一例としてＡ社、Ｂ社、Ｃ社の３社とする）により各フロア毎に使用されている。そして、例えば、雑居ビル２を居所とする各会社の正社員及び契約社員等、さらには各会社の関係者や各会社に対する来客者等といった人物６が監視対象として設定されている。それら監視対象の人物６は、無線タグＴを所持している。
【００２８】
本実施形態の無線タグ管理システム１は、雑居ビル２内における出入口ドア３の近傍に設置され、雑居ビル２に入っている各会社がそれぞれ所有しているリーダ（質問器）７Ａ〜７Ｃを有している。これらのリーダ７Ａ〜７Ｃは、監視対象の人物６が出入口ドア３を通過したときに人物６が所持する無線タグＴに対して所定の質問を行い、これに対する無線タグＴからの応答を読み取って、出入口通過等の情報を管理する（詳細については後述する）。以下適宜、リーダ７Ａ〜７Ｃを総称して単に「リーダ７」と称する。
【００２９】
図２は、本実施形態の無線タグ管理システム１の概略を表すシステム構成図である。この図２において、無線タグ管理システム１は、各無線タグＴとの無線通信により信号の授受を行う上記リーダ７Ａ〜７Ｃを有している。
【００３０】
各リーダ７は、制御部１１と、アンテナユニット１２（質問器側アンテナ）とを有している。制御部１１は、ＲＡＭの一時記憶機能を利用しつつＲＯＭに予め記憶されたプログラムに従って信号処理を行うＣＰＵ（中央演算装置）１３と、例えばＲＡＭやＲＯＭ等からなるメモリ１５と、アンテナユニット１２を介し無線タグＴとの無線通信の制御を行うＲＦ通信制御部１６とを備えている。
【００３１】
また、監視対象の人物６に所持される無線タグＴには、共通して無線タグ回路素子Ｔoが備えられている。無線タグ回路素子Ｔoは、リーダ７のアンテナユニット１２と例えばＵＨＦ帯やマイクロ波帯等の高周波を用いて非接触で信号の送受信を行うアンテナ１５１（タグ側アンテナ）と、このアンテナ１５１に接続されたＩＣ回路部１５０とを有している。
【００３２】
図３は、無線タグ回路素子Ｔoの機能的構成の一例を表すブロック図である。図３において、無線タグ回路素子Ｔoは、上記アンテナ１５１及び上記ＩＣ回路部１５０を有している。
【００３３】
ＩＣ回路部１５０は、タグ側アンテナであるアンテナ１５１により受信された質問波を整流する整流部１５２と、この整流部１５２により整流された質問波のエネルギを蓄積し駆動電源とするための電源部１５３と、上記アンテナ１５１により受信された質問波からクロック信号を抽出して制御部（後述）１５７に供給するクロック抽出部１５４と、所定の情報信号を記憶し得るメモリ部１５５と、上記アンテナ１５１に接続された変復調部１５６と、上記メモリ部１５５、クロック抽出部１５４、及び変復調部１５６等を介して上記無線タグ回路素子Ｔoの作動を制御するための制御部１５７とを備えている。
【００３４】
変復調部１５６は、アンテナ１５１により受信された上記リーダ７のリーダアンテナからの通信信号の復調を行うと共に、上記制御部１５７からの返信信号に基づき、アンテナ１５１で受信した質問波を変調し、アンテナ１５１より応答波として再送信する。
【００３５】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００３６】
クロック抽出部１５４は受信した信号からクロック成分を抽出して制御部１５７にクロックを抽出するものであり、受信した信号のクロック成分の速度に対応したクロックを制御部１５７に供給する。
【００３７】
図４は、上記リーダ７におけるＣＰＵ１３、ＲＦ通信制御部１６、及びアンテナユニット１２の詳細構成を表す機能ブロック図である。
【００３８】
図４において、リーダ７のＲＦ通信制御部１６は、上記アンテナユニット１２を介し上記無線タグ回路素子ＴoのＩＣ回路部１５０の情報(タグＩＤを含む無線タグ情報)へアクセスするものである。リーダ７のＣＰＵ１３は、無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ７全体の動作を制御するものである。
【００３９】
ＲＦ通信制御部１６は、アンテナユニット１２を介し無線タグ回路素子Ｔoに対して信号を送信する送信部２１２と、アンテナユニット１２により受信された無線タグ回路素子Ｔoからの反射波を入力する受信部２１３と、送受分離器２１４とから構成される。
【００４０】
送信部２１２は、無線タグ回路素子ＴoのＩＣ回路部１５０の無線タグ情報にアクセスする(読み取り／書き込みを行う)ための搬送波を発生させる水晶振動子２１５Ａ、ＣＰＵ１３の制御により所定の周波数の信号を発生させるＰＬＬ（Phase  Locked  Loop）２１５Ｂ、及びＶＣＯ（Voltage  Controlled  Oscillator）２１５Ｃと、上記ＣＰＵ１３から供給される信号に基づいて上記発生させられた搬送波を変調（この例ではＣＰＵ１３からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１３からの「ＴＸ＿ＰＷＲ」信号によって増幅率を決定される増幅）する可変送信アンプ２１７とを備えている。そして、上記発生される搬送波は、例えばＵＨＦ帯又はマイクロ波帯の周波数を用いており、上記送信アンプ２１７の出力は、送受分離器２１４を介しアンテナユニット１２に伝達されて無線タグ回路素子ＴoのＩＣ回路部１５０に供給される。なお、無線タグ情報は上記のように変調した信号に限られず、単なる搬送波のみの場合もある。
【００４１】
受信部２１３は、アンテナユニット１２で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナユニット１２で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１３に入力されて処理される。
【００４２】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１３に入力されるようになっている。このようにして、本実施形態のリーダ７では、Ｉ−Ｑ直交復調によって無線タグ回路素子Ｔoからの反射波の復調が行われる。
【００４３】
以上において、本実施形態の最も大きな特徴は、無線タグＴがリーダ７からの問合せコマンド信号を受ける前後に、リーダ７に固有の個体識別情報を含む識別コマンド信号を受けたかどうかを判断し、個体識別情報に応じて問合せコマンド信号に対する応答の態様を変えるようにしたことである。以下、その詳細を順を追って説明する。
【００４４】
図５（ａ）〜（ｃ）は、無線タグ回路素子ＴoのＩＣ回路部１５０のメモリ部１５５に格納保持される応答態様テーブルの一例を概念的に表す図である。これら図５（ａ）〜（ｃ）において、各応答態様テーブルは、この例では、リーダ７の個体識別情報（リーダＩＤ）と、そのリーダ７からの問い合わせコマンド信号（後述のタグＩＤ読み取りコマンド等）に対する応答の有無とが対応付けられた相関情報の形で格納されている。各応答態様テーブルは、無線タグＴを所持する人物６が所属する会社（自社）のリーダＩＤを含む、識別コマンド信号を受信したときのみ応答を行うように、各無線タグＴ毎に異なっている。
【００４５】
具体的には、Ａ社に所属する人物６が所持する無線タグＴは、図５（ａ）に示すように、Ａ社のリーダＩＤ（この例では概念的に「ＩＤ０００１」で表す。以下同様）を含む識別コマンド信号を受信したときのみ、そのリーダからの上記問い合わせコマンド信号への応答を行うように設定されている。Ｂ社に所属する人物６が所持する無線タグＴは、図５（ｂ）に示すように、Ｂ社のリーダＩＤ（この例では概念的に「ＩＤ０００２」で表す）を含む識別コマンド信号を受信したときのみ上記問い合わせコマンド信号への応答を行うように設定されている。Ｃ社に所属する人物６が所持する無線タグＴは、図５（ｃ）に示すように、Ｃ社のリーダＩＤ（この例では概念的に「ＩＤ０００３」で表す）を含む識別コマンド信号を受信したときのみ上記問い合わせコマンド信号への応答を行うように設定されている。
【００４６】
図６は、無線タグ回路素子ＴoのＩＣ回路部１５０に備えられた制御部１５７と、リーダ７の制御部１１に備えられたＣＰＵ１３とが実行する、制御手順を表すフローチャートである。
【００４７】
図６において、リーダ７のＣＰＵ１３が、まずステップＳ５において、ＲＦ通信制御部１６及びアンテナユニット１２を介し、リーダごとに固有の上記リーダＩＤを含む識別コマンド信号（リーダＩＤ通知コマンド信号）を無線タグＴに対して送信する。
【００４８】
これに対応して、無線タグ回路素子Ｔoの制御部１５７が、アンテナ１５１及び変復調部１５６を介してリーダ７から信号を受信し（第２タイミング）、ステップＳ１０５において、その受信した信号が上記リーダＩＤ通知コマンド信号であるかどうかを判定する。リーダＩＤ通知コマンド信号を受信していないときはステップＳ１０５の判定が満たされず、制御部１５７による本フローを終了する。一方、受信した信号がリーダＩＤ通知コマンド信号であった場合はステップＳ１０５の判定が満たされ、ステップＳ１０７へ移る。ステップＳ１０７では、上記受信したリーダＩＤをキーにしてメモリ部１５５に格納保持された応答態様テーブル（上記図５（ａ）〜（ｃ）参照）を参照し、対応するリーダが応答を行うべきものであるかどうか（＝言い換えれば、受信したリーダＩＤ通知コマンド信号に含まれるリーダＩＤが自社に対応するものであるか）の情報を取得する。その後、ステップＳ１１０へ移る。ステップＳ１１０では、上記ステップＳ１０７で取得した情報に基づき、応答すべきリーダ７であるかどうかを判定する。応答を行うべきリーダ７ではなかった（＝他社に対応するリーダ７であった）ときは、ステップＳ１１０の判定が満たされず、当該リーダ７に対して応答を行わないこととし、本フローを終了する。応答を行うべきリーダ７であった（＝自社に対応するリーダ７であった）場合にはステップＳ１１０の判定が満たされ、後述のステップＳ１１５に移る。
【００４９】
一方、リーダ７のＣＰＵ１３は、上記ステップＳ５から所定時間経過した後、ステップＳ１０に移る。このステップＳ１０では、ＲＦ通信制御部１６及びアンテナユニット１２を介し、無線タグＴに対して問い合わせコマンド信号であるタグＩＤ読み取りコマンド信号を送信し、無線タグＴの無線タグ回路素子Ｔoに固有の個体識別情報であるタグＩＤの返信を促す。
【００５０】
これに対応して、無線タグ回路素子Ｔoの制御部１５７は、上記ステップＳ１１０での判定が満たされた場合、アンテナ１５１及び変復調部１５６を介し、上記リーダ７からのタグＩＤ読み取りコマンド信号を受信する（第１タイミング）。その後ステップＳ１１５において、タグＩＤ（必要に応じてその他公開データ等も）含む応答信号を、変復調部１５６及びアンテナ１５１を介して、タグＩＤ読み取りコマンド信号を受信した当該リーダ７に対し送信し、本フローを終了する。
【００５１】
これに対応して、リーダ７のＣＰＵ１３は、アンテナユニット１２及びＲＦ通信制御部１６を介し上記制御部１５７からの応答信号を受信した後、ステップＳ１４において、上記ステップＳ１０でタグＩＤ読み取りコマンド信号を送信してからタグＩＤが応答されたか、または、所定時間経過したかどうかを判定する。タグＩＤが応答されるか、または、所定時間が経過するまではステップＳ１４の判定が満たされず、無線タグ回路素子Ｔoの制御部１５７からの応答信号の受信を継続する。タグＩＤが応答されたか、または、所定時間が経過してタイムアウトとなったらステップＳ１４の判定が満たされて、本フローを終了する。
【００５２】
なお、ＣＰＵ１３による上記ステップＳ５〜Ｓ１５の処理は、リーダ７の電源がオンしている限り、所定の周期で繰り返し実行される。
【００５３】
また、ステップＳ１０におけるタグＩＤ読み取りコマンド信号を送信する処理は、ステップＳ５におけるリーダＩＤ通知コマンド信号を送信する処理の前に行っても良い。この場合には、無線タグ回路素子Ｔoの制御部１５７によるステップＳ１１０における判定が満たされたら、（リーダ７からの信号受信を行うことなく）ステップＳ１１５における当該リーダ７に応答を行う処理を実行するようにすれば足りる。
【００５４】
以上において、図６のフローにおけるステップＳ１０５は、質問器７からの問合せコマンド信号がタグ側アンテナ１５１で受信された第１タイミングの前後いずれかの第２タイミングに、質問器７に固有の個体識別情報を含む識別コマンド信号がタグ側アンテナ１５１で受信されたかどうかを判定する判定手段を構成する。同ステップＳ１１０は、識別コマンド信号に含まれる個体識別情報に応じて、問合せコマンド信号に対する応答の態様を変化させる応答制御手段を構成する。
【００５５】
また、同ステップＳ１０は、無線タグ回路素子ＴoのＩＣ回路部１５０より情報を取得するための問合せコマンド信号を生成する問合せコマンド信号生成手段を構成する。同ステップＳ５は、質問器７に固有の個体識別情報を含む識別コマンド信号を生成する識別コマンド信号生成手段を構成する。またこれらステップＳ５及びＳ１０全体が、第１タイミングにおいて質問器側アンテナ１２を介し問合せコマンド信号を無線タグ回路素子Ｔoへ送信し、第１タイミングの前後いずれかの第２タイミングにおいて質問器側アンテナ１２を介し識別コマンド信号を無線タグ回路素子Ｔoへ送信する送信制御手段を構成する。
【００５６】
以上のように本実施形態においては、雑居ビル２の出入口ドア３の近傍に設置されたリーダ７がリーダＩＤ通知コマンド信号及びタグＩＤ読み取りコマンド信号を異なるタイミングで順次送信する。このとき、出入口ドア３から雑居ビル２内に入ってきた人物６が所持している無線タグＴの無線タグ回路素子ＴoのＩＣ回路部１５０は、リーダ７からのリーダＩＤ通知コマンド信号を受信したかどうかを判定する。これにより、リーダ７からのタグＩＤ読み取りコマンド信号を受信する前後に、無線タグ回路素子Ｔo側においてリーダ７を個体別に特定することができる。そして、自己の無線タグ回路素子Ｔoに対応した自社のリーダ７に対してのみ応答を行い、他社のリーダ７に対しては応答を行わないようにする。したがって、各無線タグＴに対応した自社のリーダ７にのみ出入口通過の記録が残され、それ以外のリーダ７には出入口通過の記録が残らないようにすることができる。その結果、雑居ビル２の出入り管理を行う際のセキュリティーを向上することができる。
【００５７】
なお、本実施形態は、上記に限られるものではなく、その趣旨及び技術思想を逸脱しない範囲で種々の変形が可能である。以下、そのような変形例を順を追って説明する。
【００５８】
（１）リーダＩＤに応じてリーダ７への応答情報の内容を変える場合
上記実施形態では、リーダ７のリーダＩＤに応じて、単にリーダ７への応答を行うか行わないかを切り替えるようにしたが、本発明はこれに限られない。例えば、リーダ７のリーダＩＤに応じて、リーダ７への応答信号に含ませる情報の内容を変化させてもよい。
【００５９】
図７は、このような変形例において、無線タグ回路素子ＴoのＩＣ回路部１５０のメモリ部１５５に格納保持される応答態様テーブルを概念的に表す、上記図５（ａ）〜（ｃ）に対応する図である。この応答態様テーブルも、上記図５（ａ）〜（ｃ）と同様、各無線タグＴについて、リーダ７のリーダＩＤと、そのリーダ７からの問い合わせコマンド信号（後述のタグＩＤ読み取りコマンド、公開データ読み取りコマンド、秘匿データ読み取りコマンド等）に対する応答レベルとが対応付けられた相関情報の形で格納されている。
【００６０】
応答レベルは、下記のレベル０〜４から構成されている。応答レベルは、例えば無線タグＴを所持する人物６との関連度の高い会社のリーダ７ほど高くなるように設定されている。なお、無線タグＴにリーダＩＤが登録されていないリーダ７については、応答レベルはレベル０となる。
レベル０：応答しない。
レベル１：応答信号にタグＩＤのみ含む。なお書き換えは不許可。
レベル２：応答信号にタグＩＤ、公開データまで含む。書き換えは不許可。
レベル３：応答信号にタグＩＤ、公開データ、及び秘匿データまで含む。
公開データ書き換え許可するが、秘匿データは書き換え不許可。
レベル４：応答信号にタグＩＤ、公開データ、及び秘匿データまで含む。
公開データ書き換え許可するが、秘匿データを書き換え不許可。
レベルＸ（Ｘは１〜４のいずれか）のリーダＩＤを書換え許可。
【００６１】
なお、公開データ（書き換え可／禁止の情報含む）及び秘匿データは、タグＩＤと共にＩＣ回路部１５０のメモリ部１５５にマップデータとして予め記憶されている（後述の図１２も参照）。
【００６２】
図８は、本変形例において、無線タグ回路素子ＴoのＩＣ回路部１５０に備えられた制御部１５７と、この無線タグ回路素子Ｔoにとって上記レベル１に該当するリーダ７のＣＰＵ１３とが実行する、制御手順を表すフローチャートである。この図８は、上記図６に対応する図であり、図６と同等の手順には同一の符号を付している。
【００６３】
図８において、リーダ７のＣＰＵ１３がまず図６と同様のステップＳ５を行い、これに対応して無線タグ回路素子Ｔoの制御部１５７が図６と同様のステップＳ１０５を行う。リーダＩＤ通知コマンド信号を受信しステップＳ１０５の判定が満たされると、図６と同様のステップＳ１０７に移り、応答態様テーブルを参照し、対応するリーダに対してはどのような態様の応答を行うかの情報を取得する。その後、新たに設けたステップＳ１２５に移る。
【００６４】
一方、リーダ７のＣＰＵ１３は、上記図６と同様、上記ステップＳ５から所定時間経過した後、ステップＳ１０において問い合わせコマンド信号であるタグＩＤ読み取りコマンド信号を送信する。
【００６５】
これに対応して、無線タグ回路素子Ｔoの制御部１５７は、上記ステップＳ１０７の後、アンテナ１５１及び変復調部１５６を介し、上記リーダ７からのタグＩＤ読み取りコマンド信号を受信する（第１タイミング）。その後ステップＳ１２５において、前述のステップＳ１１５と同様、タグＩＤを含む応答信号を、変復調部１５６及びアンテナ１５１を介して、タグＩＤ読み取りコマンド信号を受信した当該リーダ７に対し送信する。
【００６６】
これに対応して、リーダ７のＣＰＵ１３は、アンテナユニット１２及びＲＦ通信制御部１６を介し上記制御部１５７からの応答信号を受信した後、新たに設けたステップＳ２０において、ステップＳ５同様、リーダＩＤを含む識別コマンド信号（リーダＩＤ通知コマンド信号）を送信する。
【００６７】
これに対応して、無線タグ回路素子Ｔoの制御部１５７が、アンテナ１５１及び変復調部１５６を介してリーダ７から信号を受信し（第２タイミング）、上記ステップＳ１０５同様、新たに設けたステップＳ１３０において、その受信した信号が上記リーダＩＤ通知コマンド信号であるかどうかを判定する。リーダＩＤ通知コマンド信号を受信していないときはステップＳ１３０の判定が満たされず、制御部１５７による本フローを終了する。一方、受信した信号がリーダＩＤ通知コマンド信号であった場合はステップＳ１３０の判定が満たされ、新たに設けたステップＳ１３５へ移る。ステップＳ１３５では、上記ステップＳ１０７と同様、上記受信したリーダＩＤをキーにして応答態様テーブルを参照し、対応するリーダに対してはどのような応答を行うかの情報を取得する。
【００６８】
一方、リーダ７のＣＰＵ１３は、上記ステップＳ２０から所定時間経過した後、ステップＳ２５に移る。このステップＳ２５では、ＲＦ通信制御部１６及びアンテナユニット１２を介し、受信した応答信号のタグＩＤに対応する無線タグ回路素子Ｔoに対し、問い合わせコマンド信号である公開データ読み取りコマンド信号を送信し、無線タグＴからの公開データの返信応答を促す（第１タイミング）。しかしながら、この無線タグ回路素子Ｔoにとってこのリーダ７はレベル１（タグＩＤのみ応答）に該当するため、無線タグ回路素子Ｔoは、この公開データ読み取りコマンド信号に対しては応答しない（あるいは公開データ読み取りを拒否する旨の応答をするようにしてもよい。すなわち「応答拒否」という情報により応答を行う。あるいは予め設定したダミーの内容の情報により応答を行うようにしてもよい）。
【００６９】
この状態で、リーダ７のＣＰＵ１３は、ステップＳ１５において、ステップＳ２５で公開データ読み取りコマンド信号を送信してから所定時間経過したかどうかを判定する。公開データ読み取りコマンド信号を送信してから所定時間経過するとステップＳ１５の判定が満たされてタイムアウトとなり、無線タグ回路素子Ｔoからの公開データの応答が受信されないまま、本フローを終了する。
【００７０】
図９は、本変形例において、無線タグ回路素子ＴoのＩＣ回路部１５０に備えられた制御部１５７と、この無線タグ回路素子Ｔoにとって上記レベル２に該当するリーダ７のＣＰＵ１３とが実行する、制御手順を表すフローチャートである。上記図６や図８と同等の手順には同一の符号を付している。
【００７１】
図９において、リーダ７のＣＰＵ１３及び無線タグ回路素子Ｔoの制御部１５７が実行する、ステップＳ５、ステップＳ１０５、ステップＳ１０７、ステップＳ１０、ステップＳ１２５、ステップＳ１０、ステップＳ１２５、ステップＳ２０、ステップＳ１３０、ステップＳ１３５、ステップＳ２５までは上記図８と同様であるので説明を省略する。
【００７２】
前述のように、リーダ７のＣＰＵ１３がステップＳ２５で公開データ読み取りコマンド信号を送信した後、図９の例では、このリーダ７はレベル２（タグＩＤ及び公開データまで応答）に該当する。このため、無線タグ回路素子Ｔoは、上記ステップＳ１１５やステップＳ１２５と同様、ステップＳ１４０において、公開データを含む応答信号を、変復調部１５６及びアンテナ１５１を介して、公開データ読み取りコマンド信号を受信した当該リーダ７に対し送信する。
【００７３】
これに対応して、リーダ７のＣＰＵ１３は、アンテナユニット１２及びＲＦ通信制御部１６を介し上記制御部１５７からの応答信号を受信した後、新たに設けたステップＳ３０において、ステップＳ２０やステップＳ５同様、リーダＩＤを含む識別コマンド信号（リーダＩＤ通知コマンド信号）を送信する。
【００７４】
これに対応して、無線タグ回路素子Ｔoの制御部１５７が、アンテナ１５１及び変復調部１５６を介してリーダ７から信号を受信し（第２タイミング）、上記ステップＳ１０５やステップＳ１３０と同様、新たに設けたステップＳ１４５において、その受信した信号が上記リーダＩＤ通知コマンド信号であるかどうかを判定する。リーダＩＤ通知コマンド信号を受信していないときはステップＳ１４５の判定が満たされず、制御部１５７による本フローを終了する。一方、受信した信号がリーダＩＤ通知コマンド信号であった場合はステップＳ１４５の判定が満たされ、新たに設けたステップＳ１５０へ移る。ステップＳ１５０では、上記ステップＳ１３５やステップＳ１０７と同様、上記受信したリーダＩＤをキーにして応答態様テーブルを参照し、対応するリーダに対してはどのような応答を行うかの情報を取得する。
【００７５】
一方、リーダ７のＣＰＵ１３は、上記ステップＳ３０から所定時間経過した後、ステップＳ３５に移る。このステップＳ３５では、ＲＦ通信制御部１６及びアンテナユニット１２を介し、受信した応答信号のタグＩＤに対応する無線タグ回路素子Ｔoに対し、問い合わせコマンド信号である秘匿データ読み取りコマンド信号を送信し、無線タグＴからの秘匿データの返信応答を促す（第１タイミング）。しかしながら、この無線タグ回路素子Ｔoにとってこのリーダ７はレベル２（タグＩＤ及び公開データのみ応答）に該当するため、無線タグ回路素子Ｔoは、この秘匿データ読み取りコマンド信号に対しては応答しない（あるいは秘匿データ読み取りを拒否する旨の応答をするようにしてもよい。すなわち「応答拒否」という情報により応答を行う。あるいは予め設定したダミーの内容の情報により応答を行うようにしてもよい）。
【００７６】
この状態で、リーダ７のＣＰＵ１３は、上記図８と同様、ステップＳ１５において、ステップＳ３５で秘匿データ読み取りコマンド信号を送信してから所定時間経過したかどうかを判定する。秘匿データ読み取りコマンド信号を送信してから所定時間経過するとステップＳ１５の判定が満たされてタイムアウトとなり、無線タグ回路素子Ｔoからの公開データの応答が受信されないまま、本フローを終了する。
【００７７】
図１０は、本変形例において、無線タグ回路素子ＴoのＩＣ回路部１５０に備えられた制御部１５７と、この無線タグ回路素子Ｔoにとって上記レベル３に該当するリーダ７のＣＰＵ１３とが実行する、制御手順を表すフローチャートである。上記図６、図８、図９等と同等の手順には同一の符号を付している。
【００７８】
図１０において、リーダ７のＣＰＵ１３及び無線タグ回路素子Ｔoの制御部１５７が実行する、ステップＳ５、ステップＳ１０５、ステップＳ１０７、ステップＳ１０、ステップＳ１２５、ステップＳ３０、ステップＳ１４５、ステップＳ１５０、ステップＳ３５は上記図９と同様であるので説明を省略する。なお、図１０では図９におけるステップＳ２０、ステップＳ１３０、ステップＳ１３５、ステップＳ２５、ステップＳ１４０は省略されているが、図９と同様に行ってもよい。
【００７９】
前述のように、リーダ７のＣＰＵ１３がステップＳ３５で秘匿データ読み取りコマンド信号を送信した後、図１０の例では、このリーダ７はレベル３（タグＩＤ、公開データ、秘匿まで応答）に該当する。このため、無線タグ回路素子Ｔoは、上記ステップＳ１１５、ステップＳ１２５、ステップＳ１４０と同様、ステップＳ１５５において、秘匿データを含む応答信号を、変復調部１５６及びアンテナ１５１を介して、秘匿データ読み取りコマンド信号を受信した当該リーダ７に対し送信する。
【００８０】
これに対応して、リーダ７のＣＰＵ１３は、アンテナユニット１２及びＲＦ通信制御部１６を介し上記制御部１５７からの応答信号を受信した後、新たに設けたステップＳ４０において、ステップＳ３０やステップＳ２０やステップＳ５と同様、リーダＩＤを含む識別コマンド信号（リーダＩＤ通知コマンド信号）を送信する。
【００８１】
これに対応して、無線タグ回路素子Ｔoの制御部１５７が、アンテナ１５１及び変復調部１５６を介してリーダ７から信号を受信し（第２タイミング）、上記ステップＳ１０５やステップＳ１３０やステップＳ１４５と同様、新たに設けたステップＳ１６０において、その受信した信号が上記リーダＩＤ通知コマンド信号であるかどうかを判定する。リーダＩＤ通知コマンド信号を受信していないときはステップＳ１６０の判定が満たされず、制御部１５７による本フローを終了する。一方、受信した信号がリーダＩＤ通知コマンド信号であった場合はステップＳ１６０の判定が満たされ、新たに設けたステップＳ１６５へ移る。ステップＳ１６５では、上記ステップＳ１５０やステップＳ１３５やステップＳ１０７と同様、上記受信したリーダＩＤをキーにして応答態様テーブルを参照し、対応するリーダに対してはどのような応答を行うかの情報を取得する。
【００８２】
一方、リーダ７のＣＰＵ１３は、上記ステップＳ４０から所定時間経過した後、ステップＳ４５に移る。このステップＳ４５では、ＲＦ通信制御部１６及びアンテナユニット１２を介し、受信した応答信号のタグＩＤに対応する無線タグ回路素子Ｔoに対し、問合せコマンド信号である公開データ書き込みコマンド信号を送信し、無線タグＴの無線タグ回路素子ＴoのＩＣ回路部１５０に記憶された公開データに書き込みを行う（書き換え可能かどうかを問い合せた後、データを書き込んでもよい）。
【００８３】
これに対応して、無線タグ回路素子Ｔoは、ステップＳ１７０で上記に対応する公開データの書き込み（書き換え）を行った後、ステップＳ１７５に移り、上記ステップＳ１４０等と同様、書き込み後の所定のレスポンス（例えば書き換え成功の識別子等）を含む応答信号を、変復調部１５６及びアンテナ１５１を介して、公開データ書き込みコマンド信号を受信した当該リーダ７に対し送信する。
【００８４】
これに対応して、リーダ７のＣＰＵ１３は、アンテナユニット１２及びＲＦ通信制御部１６を介し上記制御部１５７からの応答信号を受信した後、新たに設けたステップＳ５０において、ステップＳ３０等と同様、リーダＩＤを含む識別コマンド信号（リーダＩＤ通知コマンド信号）を送信する。
【００８５】
これに対応して、無線タグ回路素子Ｔoの制御部１５７が、アンテナ１５１及び変復調部１５６を介してリーダ７から信号を受信し（第２タイミング）、上記ステップＳ１６０等と同様、新たに設けたステップＳ１８０において、その受信した信号が上記リーダＩＤ通知コマンド信号であるかどうかを判定する。リーダＩＤ通知コマンド信号を受信していないときはステップＳ１８０の判定が満たされず、制御部１５７による本フローを終了する。一方、受信した信号がリーダＩＤ通知コマンド信号であった場合はステップＳ１８０の判定が満たされ、新たに設けたステップＳ１８５へ移る。ステップＳ１８５では、上記ステップＳ１６５等と同様、上記受信したリーダＩＤをキーにして応答態様テーブルを参照し、対応するリーダに対してはどのような応答を行うかの情報を取得する。
【００８６】
一方、リーダ７のＣＰＵ１３は、上記ステップＳ５０から所定時間経過した後、ステップＳ５５に移る。このステップＳ５５では、ＲＦ通信制御部１６及びアンテナユニット１２を介し、受信した応答信号のタグＩＤに対応する無線タグ回路素子Ｔoに対し、問合せコマンド信号である応答態様テーブル中の（この例ではレベル４に該当する）リーダＩＤ書き換えコマンド信号を送信し、無線タグＴの無線タグ回路素子ＴoのＩＣ回路部１５０に記憶された応答態様テーブルの書き換えを試みる（書き換え可能かどうかを問い合せた後、書き換えデータを書き込んでもよい）。しかしながら、この無線タグ回路素子Ｔoにとってこのリーダ７はレベル３（リーダＩＤの書き換えは不許可）に該当するため、無線タグ回路素子Ｔoは、このリーダＩＤ書き換えコマンド信号に対しては応答しない（あるいはリーダＩＤ書き換えを拒否する旨の応答をするようにしてもよい。すなわち「応答拒否」という情報により応答を行う。あるいは予め設定したダミーの内容の情報により応答を行うようにしてもよい）。
【００８７】
この状態で、リーダ７のＣＰＵ１３は、前述と同様、ステップＳ１５において、ステップＳ５５でリーダＩＤ書き換えコマンド信号を送信してから所定時間経過したかどうかを判定する。リーダＩＤ書き換えコマンド信号を送信してから所定時間経過するとステップＳ１５の判定が満たされてタイムアウトとなり、無線タグ回路素子Ｔoからの応答が受信されないまま、本フローを終了する。
【００８８】
以上のような本変形例においては、無線タグ回路素子Ｔoがリーダ７からのリーダＩＤ通知コマンド信号を受信したかどうかを判定し、リーダＩＤに応じてリーダ７に対する応答信号の内容を限定する（重要度の低い公開情報まで、若しくはタグＩＤのみ等情報の質を制限する。あるいは単に情報を少なくしてもよい）ようにしたので、雑居ビル２の出入り管理を行う際のセキュリティーを向上することができる。また、特定のリーダ７に対しては公開データの書き換えを禁止するので、よりセキュリティーの向上に寄与させることができる。
【００８９】
（２）１つの無線タグＴに対して２つのタグＩＤを備えている場合
上記実施形態や（１）の変形例では、１つの無線タグ回路素子Ｔoが１つのタグＩＤを備えるようにしたが、本発明はこれに限られない。すなわち、１つの無線タグ回路素子ＴoがメインのタグＩＤとサブのタグＩＤとを備え、リーダ７のリーダＩＤに応じて、それらのタグＩＤを使い分けるようにしてもよい。
【００９０】
図１１は、本変形例において、リーダ７のＣＰＵ１３と、無線タグ回路素子ＴoのＩＣ回路部１５０の制御部１５７とが実行する、制御手順を表すフローチャートである。前述の図６と同様の手順には同一の符号を付し、説明を適宜省略する。
【００９１】
図１１において、リーダ７のＣＰＵ１３及び無線タグ回路素子Ｔoの制御部１５７が実行する、ステップＳ５、ステップＳ１０５、ステップＳ１０７、ステップＳ１１０、ステップＳ１０、及びステップＳ１４は上記図６と同様であるので説明を省略する。
【００９２】
但し、本変形例では、ステップＳ１１０において、応答を行うべきリーダ７ではなく判定が満たされなかったときはステップＳ１１５Ｂに移り、応答を行うべきリーダ７であり判定が満たされたときはステップＳ１１５Ａに移る。
【００９３】
すなわち、無線タグ回路素子Ｔoの制御部１５７は、ステップＳ１１５Ａでは、タグＩＤ読み取りコマンド信号を受信したリーダ７に対してメインのタグＩＤ（第１タグ識別情報）を応答信号として送信し、本フローを終了する。一方、ステップＳ１１５Ｂでは、タグＩＤ読み取りコマンド信号を受信したリーダ７に対してサブのタグＩＤ（第２タグ識別情報）を応答信号として送信し、本フローを終了する。
【００９４】
なお、図１１のステップＳ１１０が、個体識別情報に応じて、質問器への応答信号に第１タグ識別情報を含ませるか、第２タグ識別情報を含ませるかを切り替える応答制御手段を構成する。
【００９５】
本変形例においては、このようにリーダＩＤに応じて、メインのタグＩＤとサブのタグＩＤとを使い分けて送信するようにしたので、雑居ビル２の出入り管理を行う際のセキュリティーを更に向上することができる。なお、無線タグ回路素子Ｔoの制御部１５７がサブのタグＩＤを用いるのに限られない。すなわち、制御部１５７が、タグＩＤ以外に別途新たに設定されたダミーの内容の情報を用いて応答するようにしてもよい。この場合も同様の効果を得る。
【００９６】
（３）リーダ７に対する応答レベルをタグＩＤ及びデータと共に記憶する場合
上記（１）の変形例においては、リーダ７に対する応答レベルは、リーダＩＤとの関連付けでテーブルとして格納保持されていたが、これに限られない。すなわち、タグＩＤ、公開データ及び秘匿データ等と共にメモリマップとして格納保持されていてもよい。
【００９７】
図１２は、ＩＣ回路部１５０のメモリ部１５５に記憶されている上記のようなメモリマップの一例を概念的に表す図である。
【００９８】
図１２において、メモリマップのデータ部には、無線タグＴのタグＩＤ、アプリケーションコード、公開データ（書き換え可／禁止の情報含む）、秘匿データ及び上記の応答レベル（レベル０を除く）相当のリーダＩＤが予め登録されている。
【００９９】
このようなメモリマップを採用する場合にも、リーダ７のＣＰＵ１３と無線タグＴのＩＣ回路部１５０の制御部１５７とが実行する制御手順については、図８〜図１０に示すものと同様とすることができ、同様の効果を得る。
【０１００】
（４）その他
また、以上既に述べた以外にも、上記実施形態や変形例による手法を適宜組み合わせて利用しても良い。
【０１０１】
その他、一々例示はしないが、本発明は、その趣旨を逸脱しない範囲内において、種々の変更が加えられて実施されるものである。
【図面の簡単な説明】
【０１０２】
【図１】本発明の一実施形態による無線タグ管理システムの全体構成を概略的に示す図である。
【図２】無線タグ管理システムの概略を表すシステム構成図である。
【図３】無線タグに備えられた無線タグ回路素子の機能的構成の一例を表すブロック図である。
【図４】リーダにおけるＲＦ通信制御部及びリーダアンテナの詳細構成を表す機能ブロック図である。
【図５】応答態様テーブルの一例を概念的に表す図である。
【図６】リーダの制御部のＣＰＵ及び無線タグ回路素子のＩＣ回路部の制御部が行う監視動作に係わる制御手順を表すフローチャートである。
【図７】応答態様テーブルの他の例を概念的に表す図である。
【図８】リーダの制御部のＣＰＵ及び無線タグ回路素子のＩＣ回路部の制御部が行う監視動作に係わる制御手順の変形例を表すフローチャートである。
【図９】リーダの制御部のＣＰＵ及び無線タグ回路素子のＩＣ回路部の制御部が行う監視動作に係わる制御手順の変形例を表すフローチャートである。
【図１０】リーダの制御部のＣＰＵ及び無線タグ回路素子のＩＣ回路部の制御部が行う監視動作に係わる制御手順の変形例を表すフローチャートである。
【図１１】リーダの制御部のＣＰＵ及び無線タグ回路素子のＩＣ回路部の制御部が行う監視動作に係わる制御手順の他の変形例を表すフローチャートである。
【図１２】メモリマップの一例を概念的に表す図である。
【符号の説明】
【０１０３】
１                無線タグ管理システム
２                雑居ビル（管理区域）
３                出入口ドア
７                リーダ（質問器）
７Ａ〜７Ｃ        リーダ（質問器）
１１              制御部
１２              リーダアンテナ（質問器側アンテナ）
１３              ＣＰＵ
１６              ＲＦ通信制御部
１５０            ＩＣ回路部
１５１            アンテナ（タグ側アンテナ）
１５７            制御部
Ｔ                無線タグ
Ｔo               無線タグ回路素子
【図１】
2008287534.tif 000003
【図２】
2008287534.tif 000004
【図３】
2008287534.tif 000005
【図４】
2008287534.tif 000006
【図５】
2008287534.tif 000007
【図６】
2008287534.tif 000008
【図７】
2008287534.tif 000009
【図８】
2008287534.tif 000010
【図９】
2008287534.tif 000011
【図１０】
2008287534.tif 000012
【図１１】
2008287534.tif 000013
【図１２】
2008287534.tif 000014